(57)【要約】【課題】形状記憶合金の基本特性を活かし、耐久性及び適用性に優れた形状記憶合金 製部材と、それを使用したビューラー部材とを提供する。【解決手段】上挟圧部材２は、上まぶたの形状に沿ってその左右中央部が後方（まぶたに対向する側の反対側）へ弯曲した形状とされており、上挟圧部材２は、まぶたに直接あてるTi−Ni形状記憶合金で出来ていて人間の体温で変形する性質を持っているので、まぶたにあてて手で形を合わせることができる。下挟圧部材３もTi−Ni形状記憶合金で出来ていて人間の体温で変形する性質を持っているので、顔にあてて手で形を合わせることができる。上記上挟圧部材２と下挟圧部材３は協同してまつ毛を挟み込み押圧する。【選択図】図１
2005068476.tif 000002
【特許請求の範囲】
【請求項１】
常温使用環境下で超を示すＴｉ−Ｎｉ系合金材料からなる形状記憶合金製材を用いて形成した形状記憶合金製材と、該形状記憶合金製材に結合された付加物材を含むことを特徴とする形状記憶合金製部材。
【請求項２】
少なくとも一部を形状記憶合金製部材とするビューラー部材において、前記形状記憶合金製部材のうち一部、或いは全部に形状記憶合金製材を用いたことを特徴とするビューラー部材。
【請求項３】
請求項２記載のビューラー部材において、前記形状記憶合金製材は、常温使用環境下で超弾性を示すＴｉ−Ｎｉ系合金材料から成ることを特徴とするビューラー。
【発明の詳細な説明】
【技術分野】
【０００１】
本発明は、常温使用環境下で超弾性を示すＴｉ−Ｎｉ系合金材料から成る複数の形状記憶合金の基本特性を活かし、耐久性及び適用性に優れた形状記憶合金製部材と、それを使用したビューラーに関するものである。
【背景技術】
【０００２】
一般に、形状記憶合金（例えばＴｉ−Ｎｉ系合金やＣｕ−Ｚｎ−Ａｌ系合金が挙げられる）は、マルテンサイト変態の逆変態に付随して顕著な形状記憶効果を示すことが知られている。又、形状記憶合金は、逆変態の母相状態では良好な超弾性を示すことも知られている。
例えば、形状記憶合金製の超弾性バネは、伸び歪みが７％程度でも可逆な為、ステンレス線やピアノ線等とは異なり、コイル状にしなくても直線状バネとして使用できる利点を持っている。このような直線状バネ材は、変形防止や保型性の改善を図り得る長所を有するので、カテーテルガイドワイヤ，ブラジャーの芯金，コルセットの芯金等に実用化されている。
従来、ビューラーは目を大きく見せる為に睫毛をきれいにカールさせる道具として使われてきた。他にも部分用ビューラーがあり、ポイントになる部分のみの睫毛を上げる事も出来た。女性がまつ毛をカールするためのビューラーは通常スチール材が使われている。
【特許文献１】特開平６−１１８３４８号公報
【特許文献２】特開平１０−２９５４３３号公報
【発明の開示】
【発明が解決しようとする課題】
【０００３】
しかし、従来のビューラーでは以下の問題があった。
人間の目の形は顔と同じように百人十色であるのに対し、現在のビューラーは一つの画一化された形状である。そのため目頭から目尻までフィットさせる事は困難である。そのため部分用ビューラーが有るが、まつ毛全体に使用すると何度も同じ動作の繰り返しをしなければならず、時間と手間を必要としていた。
従来のビューラーのスチール材は変形防止や保型性のため強硬に製作され、使用者が手作業によって目にフィットさせることは難しかった。本発明は、かかる問題点を解決すべくなされたもので、その技術的課題は、形状記憶合金の基本特性を活かし、耐久性及び適用性に優れた形状記憶合金製部材と、それを使用したビューラー部材とを提供することにある。
【課題を解決するための手段】
【０００４】
本発明は、上記目的を達成するため、請求項１記載の発明は、常温使用環境下で超を示すＴｉ−Ｎｉ系合金材料からなる形状記憶合金製材を用いて形成した形状記憶合金製材と、該形状記憶合金製材に結合された付加物材を含むことを特徴とする。
また、請求項２記載の発明は、請求項１記載の発明において、少なくとも一部を形状記憶合金製部材とするビューラー部材において、前記形状記憶合金製部材のうち一部、或いは全部に形状記憶合金製材を用いたことを特徴とする。
また、請求項３記載の発明は、請求項２記載の発明において、ビューラー部材において、前記形状記憶合金製材は、常温使用環境下で超弾性を示すＴｉ−Ｎｉ系合金材料から成ることを特徴とする。
【発明の効果】
【０００５】
本発明は、形状記憶合金の基本特性を維持し、形状のバリエーションに富むと共に、耐久性に優れ、しかも適用性の高い形状記憶合金製材から成る形状記憶合金製部材が得られる。特に、この形状記憶合金製部材をビューラー部材に用いると、従来のスチール材では得難かった使用者が手作業によって目にフィットさせることが図られるようになる。
【発明を実施するための最良の形態】
【０００６】
目を大きく見せる為に睫毛をカールさせるビューラーに形状記憶合金を使用して、目頭から目尻までフィットせることを実現した。
【実施例】
【０００７】
以下に実施例を挙げ、本発明の形状記憶合金製部材及びそれを使用したビューラー部材について、図面を参照して詳細に説明する。
本発明の形状記憶合金製部材は、常温使用環境下で超弾性を示すＴｉ−Ｎｉ系合金材料から成る形状記憶合金製材を用いて形成した形状記憶合金製材を一部，或いは全部に使用したもので、その形状記憶合金製部材にビューラー部材が挙げられる。
ビューラー部材の場合、少なくとも一部を形状記憶合金製部材とするもので、更にこの形状記憶合金 製部材のうちの一部，或いは全部に常温使用環境下で超弾性を示すＴｉ−Ｎｉ系合金材料から成る形状記憶合金
製材を使用するものである。そこで、以下は形状記憶合金 製材を含む形状記憶合金製部材とそれを使用したビューラー部材について具体的に説明する。
図１は、この発明に係わる形状記憶合金製ビューラーの実施例を示す斜視図である。まぶたに直接あてる部分１はTi−Ni形状記憶合金で出来ていて人間の体温で変形する性質を持っているので、まぶたにあてて手で形を合わせる。２のクッション用のゴムはできるだけ形が変化しやすいものを用いる。手で持つ部分３は従来のビューラーと同じく、体温などで変化しにくい素材を使用する。
図面に基づいて本発明の実施の形態を説明する。図１は、本発明に係るビューラー１の実施形態を示しており、このビューラー１は、上下一対の挟圧部材２，３を有し、この挟圧部材２，３は、上側に配置されていて上まぶたに当接させて位置決めする上挟圧部材２と、この上挟圧体２の下方に位置して該上挟圧体２に対して上下方向に遠近移動可能であり、上挟圧体２と協同してまつ毛を挟み込んで押圧する下挟圧体３とからなる。また、ビューラー
１は、上端に前記上挟圧部材２を固定支持し且つ前記下挟圧部材３を上下方向移動自在に案内支持した支持杆５と、下挟圧部材３を支持杆５に沿って上下方向に移動させて、上挟圧部材２に対して遠近移動させる操作手段６とを有する。
尚、以下の説明において、上下挟圧部材２，３がまぶたＭに向く方向を前方とし、反対方向を後方とする。操作手段６は、第１レバー７と、第２レバー８と、該第２レバー８と下挟圧部材３とを連動連結する連動部材９とを有し、第１，第２レバー７，８は、長手方向中途部が互いにピン１０を介して枢結されていて左右方向の軸心回りに回動自在であり、それぞれ下端部に指を挿通できる指環１１を形成している。
第１レバー７の上部には前記支持杆５が形成されていて、該支持杆５は互いに平行な２股状とされている。第１レバー７は、スチール等の金属製線材を屈曲することで上記指環１１及び支持杆５を形成している。なお、上記支持杆５の２股間隔は、目じりと目頭との間隔にしている。第２レバー８は、第１レバー７と同様に金属製線材を屈曲形成することで下端部に指環１１を形成し、その上下中途の上端位置近傍が第１レバー７の長手方向中途部に対し前記ピン１０によって枢支されている。
前記連動部材９は、その下端が第２レバー８の上端部に左右方向の軸心回りに揺動自在に連結されており、上端が下挟圧部材３の下面に固着されている。上挟圧部材２は、縦向き状態に配置した形状記憶合金製部材の製板よりなり、左右中央部に位置して、上まぶたに当接し且つまつ毛を挟み込む。上挟圧部材２は、上まぶたの形状に沿ってその左右中央部が後方（まぶたに対向する側の反対側）へ弯曲した形状とされており、上挟圧部材２は、まぶたに直接あてるTi−Ni形状記憶合金で出来ていて人間の体温で変形する性質を持っているので、まぶたにあてて手で形を合わせることができる。下挟圧部材３は、左右中央部に位置して、上記上挟圧部材２と協同してまつ毛を挟み込み押圧する。上挟圧部材２と下挟圧部材３との間にまつ毛が挟み込まれて押圧され、上向きにカールされる。
下挟圧部材２は、形状記憶合金製部材の製板よりなり上向き凹状に形成された製板にゴム等の弾性材４を嵌合してなる。下挟圧部材３は上まぶたの形状に沿ってその中央部が後方に弯曲した形状とされており顔に直接あてるTi−Ni形状記憶合金で出来ていて人間の体温で変形する性質を持っているので、手で形を合わせることができる。形状記憶合金製部材の製板でできた上挟圧部材２と下挟圧部材３はまつげにフィットするため、個人差でカールしづらかった目じり、目頭近傍のまつ毛であっても好適にカールできるようになる。
【産業上の利用可能性】
【０００８】
本発明は、常温使用環境下で適用可能な形状記憶合金製材と、その形状記憶合金製材を使用したビューラーの用途にも適用できる。
【図面の簡単な説明】
【０００９】
【図１】この発明に係わるビューラーの実施の形態を示す斜視図である。
【符号の説明】
【００１０】
１    ビューラー
２    上挟圧部材
３    下挟圧部材
４    弾性材
５    支持杆
６    操作手段
７    第１レバー
８    第２レバー
９    連動部材
１０  ピン
１１  指環
【図１】
2005068476.tif 000003